(57)【要約】本発明は物理アップリンク制御チャネルPUCCH干渉ランダム化の方法を提供し、ロングタームエボリューションLTEシステムに応用され、複数の端末多重化PUCCHでアップリンク制御シグナリングを伝送する場合、任意二つの端末が当該PUCCHの一番目のタイムスロットに使用する制御チャネルリソースのインデックスの差は、当該二つの端末がPUCCHの二番目のタイムスロットに使用する制御チャネルリソースのインデックスの差と異なる。本発明は同じPUCCHを多重化するUE間の干渉ランダム化を実現できる。
2011520334.tif 000002
【特許請求の範囲】
【請求項１】
物理アップリンク制御チャネル干渉ランダム化の方法であって、
端末が無線サブフレームの一番目のタイムスロットと二番目のタイムスロットにおける物理アップリンク制御チャネルにおいてアップリンク制御シグナリングを伝送するとき、違う物理アップリンク制御チャネルリソースを使用することを特徴とする方法。
【請求項２】
前記物理アップリンク制御チャネルが肯定/否定応答信号を伝送する端末のみを多重化し、前記端末が無線サブフレームの一番目のタイムスロットと二番目のタイムスロットにおける物理アップリンク制御チャネルにおいて肯定/否定応答情報を伝送するとき、使用するタイムドメイン直交コードが同じて且つ一定振幅ゼロ自己相関シーケンス循環シフト量が違う、又は、使用するタイムドメイン直交コードが違って且つ一定振幅ゼロ自己相関シーケンス循環シフト量が同じ、或いは、使用するタイムドメイン直交コードが違って且つ一定振幅ゼロ自己相関シーケンス循環シフト量が違うことを特徴とする請求項1に記載の方法。
【請求項３】
前記端末は一番目のタイムスロットにおいて制御チャネルリソースインデックスが
【数１】
2011520334.tif 000190
である制御チャネルを使用して肯定/否定応答情報を伝送し、二番目のタイムスロットにおいて制御チャネルリソースインデックスが
【数２】
2011520334.tif 000191
である制御チャネルを使用して肯定/否定応答情報を伝送し、端末の肯定/否定応答情報伝送に利用される制御チャネルは一番目のタイムスロットと二番目のタイムスロットにおいてそれぞれN個あり且つ排列順が同じであって、ただし、
【数３】
2011520334.tif 000192
、
【数４】
2011520334.tif 000193
Nの値は
【数５】
2011520334.tif 000194
で、ただし、
cはタイムドメイン直交コードの数量であり、前記物理アップリンク制御チャネルが通常サイクリックプリフィックスを使うとき、cの値が3を取る；拡張サイクリックプリフィックスを使うとき、cの値が2を取る；
【数６】
2011520334.tif 000195
は前記制御チャネルが属するリソースブロックに占有されるサブキャリアの個数であり、
【数７】
2011520334.tif 000196
は同じタイムドメイン直交コードにおける一定振幅ゼロ自己相関シーケンス循環シフト量の間隔であり、
【数８】
2011520334.tif 000197
はN+1とお互いに素な自然数であり、
modはモジュロ演算を指すことを特徴とする請求項2に記載の方法。
【請求項４】
前記物理アップリンク制御チャネルはチャネル品質インジケータを伝送する端末のみを多重化し、前記端末が無線サブフレームの一番目のタイムスロットと二番目のタイムスロットにおける物理アップリンク制御チャネルにおいてチャネル品質インジケータを伝送するときに使用する一定振幅ゼロ自己相関シーケンス循環シフト量が違うことを特徴とする請求項1に記載の方法。
【請求項５】
前記端末は一番目のタイムスロットにおいて制御チャネルリソースインデックスが
【数９】
2011520334.tif 000198
である制御チャネルを使用してチャネル品質インジケータを伝送し、二番目のタイムスロットにおいて制御チャネルリソースインデックスが
【数１０】
2011520334.tif 000199
である制御チャネルを使用してチャネル品質インジケータを伝送し、端末のチャネル品質インジケータ伝送に利用される制御チャネルは一番目のタイムスロットと二番目のタイムスロットにおいてそれぞれN個あり且つ排列順が同じであって、
【数１１】
2011520334.tif 000200
、ただし、
【数１２】
2011520334.tif 000201
ただし、Nは一定振幅ゼロ自己相関シーケンス循環シフト量の個数であり、即ち
【数１３】
2011520334.tif 000202
、
【数１４】
2011520334.tif 000203
は前記制御チャネルが属するリソースブロックに占有されるサブキャリアの個数であり；
c’はN+1とお互いに素な自然数であり；
modはモジュロ演算を指すことを特徴とする請求項4に記載の方法。
【請求項６】
前記物理アップリンク制御チャネルは肯定/否定応答信号とチャネル品質インジケータを伝送する端末を同時に多重化し、そのなか肯定/否定応答信号を伝送する端末が無線サブフレームの一番目のタイムスロットと二番目のタイムスロットにおける物理アップリンク制御チャネルにおいて肯定/否定応答情報を伝送するとき、使用するタイムドメイン直交コードが同じて且つ一定振幅ゼロ自己相関シーケンス循環シフト量が違う、又は、使用するタイムドメイン直交コードが違って且つ一定振幅ゼロ自己相関シーケンス循環シフト量が同じ、或いは、使用するタイムドメイン直交コードが違って且つ一定振幅ゼロ自己相関シーケンス循環シフト量が違う；そのなかチャネル品質インジケータを伝送する端末が無線サブフレームの一番目のタイムスロットと二番目のタイムスロットにおける物理アップリンク制御チャネルにおいてチャネル品質インジケータを伝送するとき、使用する一定振幅ゼロ自己相関シーケンス循環シフト量が違うことを特徴とする請求項1に記載の方法。
【請求項７】
肯定/否定応答情報の伝送に利用される一定振幅ゼロ自己相関シーケンス循環シフト量の数目は
【数１５】
2011520334.tif 000204
であり、チャネル品質インジケータの伝送に利用される一定振幅ゼロ自己相関シーケンス循環シフト量の数目は
【数１６】
2011520334.tif 000205
であり；
前記肯定/否定応答信号を伝送する端末は一番目のタイムスロットにおいて制御チャネルリソースインデックスが
【数１７】
2011520334.tif 000206
である制御チャネルを使用して肯定/否定応答情報を伝送し、二番目のタイムスロットにおいて制御チャネルリソースインデックスが
【数１８】
2011520334.tif 000207
である制御チャネルを使用して肯定/否定応答情報を伝送し、端末の肯定/否定応答情報伝送に利用される制御チャネルは一番目のタイムスロットと二番目のタイムスロットにおいてそれぞれN個あり且つ排列順が同じであって、
【数１９】
2011520334.tif 000208
、ただし、
【数２０】
2011520334.tif 000209
Nの値は
【数２１】
2011520334.tif 000210
で、ただし、
【数２２】
2011520334.tif 000211
は同じタイムドメイン直交コードにおける一定振幅ゼロ自己相関シーケンス循環シフト量の間隔であり、cはタイムドメイン直交コードの数量であり、前記物理アップリンク制御チャネルが通常サイクリックプリフィックスを使うとき、cの値が3を取り、拡張サイクリックプリフィックスを使うとき、cの値が2を取る；
【数２３】
2011520334.tif 000212
はN+1とお互いに素な自然数であり；modはモジュロ演算を指し；
前記チャネル品質インジケータを伝送する端末は一番目のタイムスロットにおいて制御チャネルリソースインデックスが
【数２４】
2011520334.tif 000213
である制御チャネルを使用してチャネル品質インジケータを伝送し、二番目のタイムスロットにおいて制御チャネルリソースインデックスが
【数２５】
2011520334.tif 000214
である制御チャネルを使用してチャネル品質インジケータを伝送し、端末のチャネル品質インジケータ伝送に利用される制御チャネルは一番目のタイムスロットと二番目のタイムスロットにおいてそれぞれ
【数２６】
2011520334.tif 000215
個あり、且つ排列順が同じであって、
【数２７】
2011520334.tif 000216
、ただし
【数２８】
2011520334.tif 000217
c’は
【数２９】
2011520334.tif 000218
とお互いに素な自然数であり；
modはモジュロ演算を指すことを特徴とする請求項6に記載の方法。
【請求項８】
【数３０】
2011520334.tif 000219
、
【数３１】
2011520334.tif 000220
は前記制御チャネルが属するリソースブロックに占有されるサブキャリアの個数であることを特徴とする請求項7に記載の方法。
【請求項９】
dの値はタイムドメイン直交コードの数量で、即ち
【数３２】
2011520334.tif 000221
であることを特徴とする請求項3または請求項7に記載の方法。
【請求項１０】
c’の値は制御チャネルにおけるチャネル品質インジケータ伝送に利用できる一定振幅ゼロ自己相関シーケンス循環シフト量の数量で、
即ち
【数３３】
2011520334.tif 000222
或いは
【数３４】
2011520334.tif 000223
であることを特徴とする請求項5または請求項7に記載の方法。
【請求項１１】
物理アップリンク制御チャネル干渉ランダム化の方法であって、ロングタームエボリューションLTEシステムに応用され、
複数の端末が物理アップリンク制御チャネルを多重化してアップリンク制御シグナリングを伝送する場合、任意二つの端末が当該物理アップリンク制御チャネルの一番目のタイムスロットにおいて使用する制御チャネルリソースのインデックスの差と、当該二つの端末が当該物理アップリンク制御チャネルの二番目のタイムスロットにおいて使用する制御チャネルリソースのインデックスの差とは異なることを特徴とする方法。
【請求項１２】
物理アップリンク制御チャネル干渉ランダム化の方法であって、ロングタームエボリューションLTEシステムに応用され、
端末は物理アップリンク制御チャネルの一番目のタイムスロットにおいて制御チャネルリソースインデックスが
【数３５】
2011520334.tif 000224
である制御チャネルを使って、肯定/否定応答情報を伝送し、二番目のタイムスロットにおいて制御チャネルリソースインデックスが
【数３６】
2011520334.tif 000225
である制御チャネルを使って、肯定/否定応答情報を伝送し、且つ
【数３７】
2011520334.tif 000226
式中に、
【数３８】
2011520334.tif 000227
で、ただし、
cはタイムドメイン直交コードの数量であり、
【数３９】
2011520334.tif 000228
はひとつのリソースブロックに占有されるサブキャリアの個数であり、
【数４０】
2011520334.tif 000229
は同じタイムドメイン直交コードにおける一定振幅ゼロ自己相関シーケンス循環シフト量の間隔であり、dはN+1とお互いに素な自然数であり、modはモジュロ演算を指すことを特徴とする方法。
【請求項１３】
前記物理アップリンク制御チャネルが通常サイクリックプリフィックスを使うとき、cの値が3を取り、拡張サイクリックプリフィックスを使うとき、cの値が2を取り、d＝cであることを特徴とする請求項11に記載の方法。
【発明の詳細な説明】
【技術分野】
【０００１】
本発明は無線通信分野に係わり、特に物理アップリンク制御チャネル（Physical Uplink Control Channel, PUCCH）における干渉をランダム化する方法に関するものである。
【背景技術】
【０００２】
目前、LTE（Long Term Evolution、ロングタームエボリューション）システムに、UE（User Equipment, ユーザー設備）は伝送しようとするアップリンクデータがない場合、固定の時間周波数リソースにおいて、物理アップリンク制御チャネルを伝送することが規定されている。セル内の同じリソースブロックの物理アップリンク制御チャネルで制御シグナリングを伝送するUEは符号分割による多重化をおこない、UEごとに一つの制御チャネルを使用する。図1の示すように、一つのUEの制御チャネルは、周波数領域で一つのリソースブロックRB（Resource Block）の帯域幅（一つのリソースブロックが12個のサブキャリアを占用する）を占め、タイムドメインで持続する二つのタイムスロット、即ち一つのサブフレームは1ミリ秒（ms）で、目前のサブフレームが使用するサイクリックプリフィックスによって、含まれる記号数も異なる。そのほか、制御チャネルは二つのタイムスロットで周波数ホッピング（hop）し、周波数ドメインダイバーシティ利得の獲得を求める。一つのリソースブロックに多重化できるUEの数目は限られるので、セルにおいて同時に物理アップリンク制御チャネルでアップリンク制御シグナリングを伝送しとうとするUEが一つのリソースブロックで多重化できるユーザー数を越える場合、もう一つのリソースブロックを開拓することができ、即ち、符号分割と周波数分割を結合する方式によって、セル内の各UEの物理アップリンク制御チャネルの多重化を実現する。
【０００３】
目前のLTEシステムに、物理アップリンク制御チャネルは多種類のアップリンク制御シグナリジをサポートでき、肯定/否定応答情報（ACK/NACK）、チャネル品質インジケータ（CQI）、スケジューリング要求（SR）、及びそれらの組合せ、即ち同時に多種類のアップリンク制御シグナリングを伝送することを含み、その中、ACK/NACKとSRが制御チャネルフォーマット1で伝送され、CQIが制御チャネルフォーマット2で伝送される。以下、各種類の物理アップリンク制御チャネルを簡単に説明する。
【０００４】
図2の示すように、ACK/NACK情報はバイナリフェーズシフトキーイングBPSK又は直交フェーズシフトキーイングQPSKの変調によって、一つの変調符号になり、変調符号が先に周波数ドメインに拡散因子が12となるスペクトラム拡散を行い、その中、スペクトラム拡散シーケンスは長さが12となるCAZAC（Constant Amplitude Zero Auto Correlation, 一定振幅ゼロ自己相関）シーケンスであり、それにタイムドメインに長さが4となるWalshコードタイムドメイン拡散を経てから、図2の示す制御チャネルフォーマット1が対応する情報符号（その中、
【０００５】
【表１】
2011520334.tif 000003
【０００６】
は情報符号を示し、
【０００７】
【表２】
2011520334.tif 000004
【０００８】
はパイロット符号、即ち参考信号を示す）にマッピングし、即ちl＝0、1、5、6、lは符号のインデックスである。
【０００９】
参考信号は主に情報符号のチャネル推定として、情報を含まなく、参考信号は情報符号と同じ処理を行い、即ち先に周波数ドメインにおいて拡散因子が12となるスペクトラム拡散を行ってから、タイムドメインにおいて長さが3（通常サイクリックプリフィックス）又は2（拡張サイクリックプリフィックス）となるひとつの直交シーケンス拡張を経て、最後に、参考信号とACK/NACK情報符号とが、ひとつのタイムスロットが伝送しようとする信号を組み合わせる。したがって、一つのリソースブロックに、多重化できる同時にACK/NACKを伝送するUEの個数は割合に短いタイムドメイン直交コードの数量及び同じ直交コードに使えるCAZACシーケンスの循環シフト量の数目によって決められる。サイクリックプリフィックスは通常サイクリックプリフィックスである場合、割合に短いタイムドメイン直交コードの数量が三つ；サイクリックプリフィックスは拡張サイクリックプリフィックスである場合、割合に短いタイムドメイン直交コードの数量が二つ、が、同じ直交コードに使えるCAZACシーケンスの循環シフト量の数目は応用場景によって異なる。一般には、ACK/NACKチャネルが使用するCAZACシーケンスの循環シフト量CS及び対応するタイムドメイン直交コードインデックスOCとの組合せで表示でき、即ち
【００１０】
【数１】
2011520334.tif 000005
【００１１】
。
【００１２】
図3の示すように、CQI情報はコーディングしてから、20個コーディングビットを得る。それからQPSK変調を経て、10個変調符号S0~S9を得る。変調符号ごとに周波数ドメインにおいて拡散因子が12となるスペクトラム拡散（スペクトラム拡散シーケンスは長さが12となるCAZACシーケンスである）を行ってから、図3のように示した制御チャネルフォーマット2が対応する情報符号にマッピングし、参考信号の作用がACK/NACK中で提示したことと同じ、周波数ドメインに拡散因子が12となるスペクトラム拡散を行い、最後に、参考信号がCQI情報符号と一緒にひとつのタイムスロットが伝送しようとする信号を組み合わせる。したがって、一つのリソースブロックに、多重化できる同時にCQIを伝送するUEの個数は使えるCAZACシーケンスの循環シフト量の数目によって決められる。一般には、CQIチャネルはチャネル使用するCAZACシーケンスの循環シフト量CSで表示できる。
【００１３】
一般的には、ACK/NACKを伝送するUEとCQIを伝送するUEとは違うリソースブロックを使って、それらに相応するアップリンク制御シグナリングを伝送するが、目前LTEにおいてまた違うUEのACK/NACKとCQIを同じリソースブロックで伝送することもサポートし、且つ、このようなリソースブロックが多くともただ一つ存在することが規定され、ここで、それを「混合リソースブロック」と称する。
【００１４】
通常では、違うセルに異なるCAZACルートシーケンス（root sequence）を分配してその周波数ドメイン拡張シーケンスとするが、セル内各UEの制御チャネルは、同じCAZACシーケンスの違う循環シフトを使う。違うCAZACルートシーケンス違う循環シフト間の関連性が違うことを考慮し、セル間の干渉ランダム化を実現するために、アップリンク制御チャネルは各符号において使用するCAZACシーケンスの循環シフト量が違い、即ち各符号が対応するCAZACシーケンスの循環シフト量は時間にしたがってホッピングし、それにこのホッピングのパターンがセル関連で（セル内すべてのUEのホッピングパターンは同じである）、即ち、セル内すべてのUEは、タイムスロットナンバーがタイムドメインナンバーと同じである符号に、二つずつのUEが使うシーケンスの循環シフト間隔はすべて同じである。
【００１５】
また、アップリンク制御チャネルの機能をさらに高めるために、セル内の干渉ランダム化も考慮しなければならない問題である。上記の内容からわかるように、セル内に一つのリソースブロックの物理アップリンク制御チャネルでアップリンク制御シグナリングを伝送する各UEの制御チャネルはコード分割方式で、理想チャネルに、セル内に各UEの制御チャネルは理想直交であるが、実際のチャネルに、チャネルのフェージング遅延及びUEのシフトによるドップラー偏移によって、各UEの制御チャネルの直交性が破壊されるので、セル内に各UEの制御チャネル間の相互干渉を起こさせる。違うアップリンク制御チャネルにとって、その干渉もそれぞれ違う。ACK/NACKチャネルにとって、直交性の破壊は二方面から生じ、一方面は周波数ドメインCAZACシーケンスの直交性がチャネルの遅延拡散により破壊され、且つこの直交性は使用するCAZACシーケンスの循環シフト量間の差（difference）と関係あり、循環シフト量の差が割合に小さいなものは、たとえ、隣接する循環シフト量、その直交性がフェージング遅延チャネルにおいてよくないが、循環シフト量の間隔が割合に大きいのは、その直交性がフェージングチャネルにおいてよく維持される；もう一方面はタイムドメイン直交コードがドップラー偏移により破壊され、ここで直交性の破壊程度はUEのシフトスピードと関係ある。CQIチャネルにとって、その直交性の破壊の原因としては、周波数ドメインCAZACシーケンスの直交性がチャネルの遅延拡散により破壊されるものである。
【００１６】
上記ように、CAZACシーケンスの循環シフト量のホッピングパターンがセル関連であるので、即ち、セル内すべてのUEのホッピングパターンは同じであり、したがって、二つのUEは相互干渉の割りに大きい制御チャネルを使用すれば、それらは制御チャネルのすべての持続期間に、干渉も割りに大きい。
【発明の概要】
【発明が解決しようとする課題】
【００１７】
本発明が解決しようとする技術課題は物理アップリンク制御チャネル干渉ランダム化の方法を提供し、同じ物理アップリンク制御チャネルを多重化するUE間の干渉をランダム化させることである。
【課題を解決するための手段】
【００１８】
上記の課題を解決するために、本発明は物理アップリンク制御チャネル干渉ランダム化の方法を提供し、端末が無線サブフレームの一番目のタイムスロットと二番目のタイムスロットにおける物理アップリンク制御チャネルにおいてアップリンク制御シグナリングを伝送するとき、違う物理アップリンク制御チャネルリソースを使用する。
【００１９】
さらに、前記物理アップリンク制御チャネルが肯定/否定応答信号を伝送する端末のみを多重化し、前記端末が無線サブフレームの一番目のタイムスロットと二番目のタイムスロットにおける物理アップリンク制御チャネルにおいて肯定/否定応答情報を伝送するとき、使用するタイムドメイン直交コードが同じて且つ一定振幅ゼロ自己相関シーケンス循環シフト量が違う、又は、使用するタイムドメイン直交コードが違って且つ一定振幅ゼロ自己相関シーケンス循環シフト量が同じ、或いは、使用するタイムドメイン直交符号が違って且つ一定振幅ゼロ自己相関シーケンスの循環シフト量が違う。
【００２０】
さらに、前記端末は一番目のタイムスロットにおいて制御チャネルリソースのインデックスがiである制御チャネルで肯定/否定応答情報を伝送し、二番目のタイムスロットにおいて制御チャネルリソースインデックスがg（i,d,N）である制御チャネルで肯定/否定応答情報を伝送し、端末が肯定/否定応答情報を伝送する制御チャネルは一番目のタイムスロットと二番目のタイムスロットにそれぞれN個あり、且つ配列順番が同じである、ただし、
【００２１】
【数２】
2011520334.tif 000006
【００２２】
、
【００２３】
【数３】
2011520334.tif 000007
【００２４】
Nの値は
【００２５】
【数４】
2011520334.tif 000008
【００２６】
で、ただし、
cはタイムドメイン直交コードの数量であり、
【００２７】
【数５】
2011520334.tif 000009
【００２８】
は前記制御チャネルが属するリソースブロックに占有されるサブキャリアの個数であり、
【００２９】
【数６】
2011520334.tif 000010
【００３０】
は同じタイムドメイン直交符号において一定振幅ゼロ自己相関シーケンス循環シフト量の間隔であり、
dはN+1とお互いに素な自然数であり、
modはモジュロ演算を指す。
【００３１】
さらに、前記物理アップリンク制御チャネルはチャネル品質インジケータを伝送する端末のみを多重化し、前記端末が無線サブフレームの一番目のタイムスロットと二番目のタイムスロットにおける物理アップリンク制御チャネルにおいてチャネル品質インジケータを伝送するとき、使用する一定振幅ゼロ自己相関シーケンス循環シフト量が違う。
【００３２】
さらに、前記端末は一番目のタイムスロットにおいて制御チャネルリソースインデックスが
【００３３】
【数７】
2011520334.tif 000011
【００３４】
である制御チャネルでチャネル品質インジケータを伝送し、二番目のタイムスロットにおいて制御チャネルリソースインデックスが
【００３５】
【数８】
2011520334.tif 000012
【００３６】
である制御チャネルでチャネル品質インジケータを伝送し、端末がチャネル品質インジケータを伝送する制御チャネルは一番目のタイムスロットと二番目のタイムスロットにそれぞれN個あり且つ配列順番が同じであって、
【００３７】
【数９】
2011520334.tif 000013
【００３８】
、ただし、
【００３９】
【数１０】
2011520334.tif 000014
【００４０】
ただし、Nは一定振幅ゼロ自己相関シーケンス循環シフト量の個数で、c’はN+1とお互いに素な自然数であり、modはモジュロ演算を指す。
【００４１】
さらに、前記物理アップリンク制御チャネルは肯定/否定応答信号とチャネル品質インジケータを伝送する端末を同時に多重化し、中で肯定/否定応答信号を伝送する端末が無線サブフレームの一番目のタイムスロットと二番目のタイムスロットにおける物理アップリンク制御チャネルにおいて肯定/否定応答情報を伝送するとき、使用するタイムドメイン直交符号が同じて且つ一定振幅ゼロ自己相関シーケンス循環シフト量が違う、又は、使用するタイムドメイン直交符号が違って且つ一定振幅ゼロ自己相関シーケンス循環シフト量が同じ、或いは、使用するタイムドメイン直交コードが違って且つ一定振幅ゼロ自己相関シーケンスの循環シフト量が違う；中でチャネル品質インジケータを伝送する端末が無線サブフレームの一番目のタイムスロットと二番目のタイムスロットにおける物理アップリンク制御チャネルにおいてチャネル品質インジケータを伝送するとき、使用する一定振幅ゼロ自己相関シーケンス循環シフト量が違う。
【００４２】
さらに、肯定/否定応答情報を伝送する一定振幅ゼロ自己相関シーケンス循環シフト量の数目は
【００４３】
【数１１】
2011520334.tif 000015
【００４４】
であり、チャネル品質インジケータを伝送する一定振幅ゼロ自己相関シーケンスの循環シフト量の数目は
【００４５】
【数１２】
2011520334.tif 000016
【００４６】
であり；
前記肯定/否定応答信号を伝送する端末は一番目のタイムスロットにおいて制御チャネルリソースインデックスが
【００４７】
【数１３】
2011520334.tif 000017
【００４８】
である制御チャネルで肯定/否定応答情報を伝送し、二番目のタイムスロットにおいて制御チャネルリソースインデックスが
【００４９】
【数１４】
2011520334.tif 000018
【００５０】
である制御チャネルで肯定/否定応答情報を伝送し、端末が肯定/否定応答情報を伝送する制御チャネルは一番目のタイムスロットと二番目のタイムスロットにそれぞれN個あり、且つ配列順番が同じであり、
【００５１】
【数１５】
2011520334.tif 000019
【００５２】
、ただし、
【００５３】
【数１６】
2011520334.tif 000020
【００５４】
Nの値は
【００５５】
【数１７】
2011520334.tif 000021
【００５６】
で、ただし、
cはタイムドメイン直交符号の数量であり、
【００５７】
【数１８】
2011520334.tif 000022
【００５８】
は同じタイムドメイン直交コードにおいて一定振幅ゼロ自己相関シーケンスの循環シフト量の間隔であり、dはN+1とお互いに素な自然数であり、modはモジュロ演算を指し、
前記チャネル品質インジケータを伝送する端末は一番目のタイムスロットにおいて制御チャネルリソースインデックスがjである制御チャネルでチャネル品質インジケータを伝送し、二番目のタイムスロットにおいて制御チャネルリソースインデックスが
【００５９】
【数１９】
2011520334.tif 000023
【００６０】
である制御チャネルでチャネル品質インジケータを伝送し、端末がチャネル品質インジケータを伝送する制御チャネルは一番目のタイムスロットと二番目のタイムスロットにそれぞれ
【００６１】
【数２０】
2011520334.tif 000024
【００６２】
個あり、且つ配列順番が同じであり、
【００６３】
【数２１】
2011520334.tif 000025
【００６４】
、ただし、
【００６５】
【数２２】
2011520334.tif 000026
【００６６】
c’は
【００６７】
【数２３】
2011520334.tif 000027
【００６８】
とお互いに素な自然数であり、modはモジュロ演算を指す。
【００６９】
さらに、
【００７０】
【数２４】
2011520334.tif 000028
【００７１】
、
【００７２】
【数２５】
2011520334.tif 000029
【００７３】
は前記制御チャネルが属するリソースブロックに占有されるサブキャリアの個数である。
【００７４】
さらに、
【００７５】
【数２６】
2011520334.tif 000030
【００７６】
値はタイムドメイン直交コードの数量で、即ち
【００７７】
【数２７】
2011520334.tif 000031
【００７８】
である。
【００７９】
さらに、前記物理アップリンク制御チャネルが通常サイクリックプリフィックスを使うとき、cの値が3を取り、拡張サイクリックプリフィックスを使うとき、cの値が2を取る。
【００８０】
さらに、c’値はアップリング制御チャネルにおいてチャネル品質インジケータを伝送できる一定振幅ゼロ自己相関シーケンス循環シフト量の数量であって、即ち
【００８１】
【数２８】
2011520334.tif 000032
【００８２】
或いは
【００８３】
【数２９】
2011520334.tif 000033
【００８４】
である。
【００８５】
上記の課題を解決するには、本発明は又、複数の端末が物理アップリンク制御チャネルを多重化してアップリンク制御シグナリングを伝送する場合、任意二つの端末が当該物理アップリンク制御チャネルの一番目のタイムスロットにおいて使用する制御チャネルリソースのインデックスの差は、当該二つの端末が当該物理アップリンク制御チャネルの二番目のタイムスロットにおいて使用する制御チャネルリソースのインデックスの差と異なることを特徴とするロングタームエボリューションLTEシステムに応用される物理アップリンク制御チャネル干渉ランダム化の方法を提供する。
【００８６】
上記の課題を解決するには、本発明はさらに、端末は物理アップリンク制御チャネルの一番目のタイムスロットにおいて制御チャネルリソースインデックスが
【００８７】
【数３０】
2011520334.tif 000034
【００８８】
である制御チャネルで肯定/否定応答情報を伝送し、二番目のタイムスロットにおいて制御チャネルリソースインデックスが
【００８９】
【数３１】
2011520334.tif 000035
【００９０】
である制御チャネルで肯定/否定応答情報を伝送し、且つ
【００９１】
【数３２】
2011520334.tif 000036
【００９２】
式中で、
【００９３】
【数３３】
2011520334.tif 000037
【００９４】
で、ただし、
cはタイムドメイン直交コードの数量であり、
【００９５】
【数３４】
2011520334.tif 000038
【００９６】
は1つのリソースブロックに占有されるサブキャリアの個数であり、
【００９７】
【数３５】
2011520334.tif 000039
【００９８】
は同じタイムドメイン直交コードにおいて一定振幅ゼロ自己相関シーケンス循環シフト量の間隔であり、dはN+1とお互いに素な自然数であり、modはモジュロ演算を指すことを特徴とするロングタームエボリューションLTEシステムに応用される物理アップリンク制御チャネル干渉ランダム化の方法を提供する。
【００９９】
さらに、前記物理アップリンク制御チャネルが通常サイクリックプリフィックスを使うとき、c＝3、拡張サイクリックプリフィックスを使うとき、c＝2、d＝cである。
【０１００】
本発明は上記三つの状況で、UEが二番目のタイムスロットにおいて使用する制御チャネルを再配列させることによって、基本方法がみんな同じ、すべてがプライムモジュロ方式（Prime-Modulo Method）を採用しているから、形式が一致で、簡単に実現できるメリットが有する。本発明の方法を使って、一つのリソースブロック又は混合リソースブロック内で多重化されるUEが制御チャネル持続の期間に、受ける相互干渉の均等化とランダム化が保証でき、セル内に各UEの物理アップリンク制御チャネルの干渉ランダム化を実現し、したがって、物理アップリンク制御チャネルの受信機能を高める。
【図面の簡単な説明】
【０１０１】
【図１】図1は、物理アップリンク制御チャネルの構造略図；
【図２】図2は、物理アップリンク制御チャネルフォーマット1の構造略図；
【図３】図3は、物理アップリンク制御チャネルフォーマット2の構造略図；
【図４】図4は、実施例1において、一つのリソースブロックにACK/NACKを伝送するUEのみを多重化するとき、本発明の方法を採用する各ユーザーが二つのタイムスロットにおいて使用する制御チャネルの略図；
【図５】図5は、実施例2において、一つのリソースブロックにACK/NACKを伝送するUEのみを多重化するとき、本発明の方法を採用する各ユーザーが二つのタイムスロットにおいて使用する制御チャネルの略図；
【図６】図6は、実施例3において、一つのリソースブロックにACK/NACKを伝送するUEのみを多重化するとき、本発明の方法を採用する各ユーザーが二つのタイムスロットにおいて使用する制御チャネルの略図；
【図７】図7は、実施例4において、一つのリソースブロックにACK/NACKを伝送するUEのみを多重化するとき、本発明の方法を採用する各ユーザーが二つのタイムスロットにおいて使用する制御チャネルの略図；
【図８】図8は、実施例5において、一つのリソースブロックにACK/NACKを伝送するUEのみを多重化するとき、本発明の方法を採用する各ユーザーが二つのタイムスロットにおいて使用する制御チャネルの略図；
【図９】図9は、実施例6において、一つのリソースブロックにCQIを伝送するUEのみを多重化するとき、本発明の方法を採用する各ユーザーが二つのタイムスロットにおいて使用する制御チャネルの略図；
【図１０】図10は、実施例7において、一つのリソースブロックにCQIを伝送するUEのみを多重化するとき、本発明の方法を採用する各ユーザーが二つのタイムスロットに使用する制御チャネルの略図；
【図１１】図11は、実施例8において、一つのリソースブロックにCQIとACK/NACKを伝送するUEを同時に多重化するとき、本発明の方法を採用する各ユーザーが二つのタイムスロットにおいて使用する制御チャネルの略図；
【図１２】図12は、実施例9において、一つのリソースブロックにCQIとACK/NACKを伝送するUEを同時に多重化するとき、本発明の方法を採用する各ユーザーが二つのタイムスロットにおいて使用する制御チャネルの略図；
【図１３】図13は、実施例10において、一つのリソースブロックにCQIとACK/NACKを伝送するUEを同時に多重化するとき、本発明の方法を採用する各ユーザーが二つのタイムスロットにおいて使用する制御チャネルの略図；
【図１４】図14は、実施例11において、一つのリソースブロックにCQIとACK/NACKを伝送するUEを同時に多重化するとき、本発明の方法を採用する各ユーザーが二つのタイムスロットにおいて使用する制御チャネルの略図；
【図１５】図15は、実施例12において、一つのリソースブロックにCQIとACK/NACKを伝送するUEを同時に多重化するとき、本発明の方法を採用する各ユーザーが二つのタイムスロットにおいて使用する制御チャネルの略図。
【発明を実施するための形態】
【０１０２】
同じセルに同じRBにおいて多重化されるUE間の干渉ランダム化させるために、タイムスロットを単位に、改めてUEが使用する制御チャネルを選ぶことが可能で、且つ、違うUEが使用する制御チャネルリソースのインデックスの差は一番目のタイムスロットと二番目のタイムスロットとにおいて違う。このようなセル内干渉ランダム化の方法は「タイムスロット単位の制御チャネル再配列」（slot-based OC/CS remapping）と称される。
【０１０３】
同じセルに同じRBにおいてを多重化される任意二つのUEにとって、たとえUE1とUE2、もしUE1とUE2が一つのサブフレーム内の一番目のタイムスロットにおいて使用する制御チャネルリソースのインデックスはそれぞれi、jであれば、UE1とUE2が当該サブフレームの二番目のタイムスロットにおいて使用する制御チャネルリソースインデックスはそれぞれm、nである。本発明の主な思想は、既知のiとjを通じて合理的にmとnを選ぶことによって、セル内に同じRBにおいて多重化されるUEの干渉ランダム化の目的を達成することである。具体的な実現方法において、制御チャネル類型の差別を考慮しながら、以下のように説明する：
ACK/NACK制御チャネルにとって、そのリソースはタイムドメイン直交符号とCAZACシーケンスの循環シフトである。一番目のタイムスロットにおいて同じタイムドメイン直交コードを使用するUEに対し、二番目のタイムスロットに使用される制御チャネルを再配列するとき、できるだけこれらUEに違うタイムドメイン直交コード（典型的な応用では、UEのシフトスピードは中低速であるので、タイムドメイン直交コードの直交性がよく維持される）を分配すると同時に、リソースブロック全般において多重化されるUEが使用するCAZACシーケンスの循環シフトの間隔はできるだけ均等化になることを保証する。端末は無線サブフレームの一番目のタイムスロットと二番目のタイムスロットにおける物理アップリンク制御チャネルにおいて肯定/否定応答情報のみを伝送するとき、使用するタイムドメイン直交コードが同じて且つ一定振幅ゼロ自己相関シーケンス循環シフト量が違う；又は、使用するタイムドメイン直交コードが違って且つ一定振幅ゼロ自己相関シーケンス循環シフト量が同じ；或いは、使用するタイムドメイン直交コードが違って且つ一定振幅ゼロ自己相関シーケンスの循環シフト量が違う。
【０１０４】
CQI制御チャネルでは、そのリソースはCAZACシーケンスの循環シフトである。一つのサブフレーム内に任意二つのUEが一番目のタイムスロットにおいて使用する制御チャネルリソースインデックスはそれぞれi、jで、当該サブフレームの二番目のタイムスロットにおいて使用する制御チャネルリソースのインデックスはそれぞれm、nで、その中（i-j）の値は（m- n）と違う。即ち、端末は無線サブフレームの一番目のタイムスロットと二番目のタイムスロットにおける物理アップリンク制御チャネルにおいてチャネル品質インジケータのみを伝送するとき、使用する一定振幅ゼロ自己相関シーケンスの循環シフト量が違う。
【０１０５】
CQI制御チャネルリソースがサブフレームの二番目のタイムスロットにおいて再配列方法を考慮するときに、ACK/NACK制御チャネルリソースの再配列方法の互換性も考慮する。
【０１０６】
たとえ一つのRBにN個ユーザーを多重化できれれば、各ユーザーが一つのACK/NACKチャネルに対応する。ACK/NACKチャネルはチャネルが使用するCAZACシーケンスの循環シフト量CS及び対応するタイムドメイン直交コードインデックスOCとの組合せで表示でき、即ち
【０１０７】
【数３６】
2011520334.tif 000040
【０１０８】
、その中、
【０１０９】
【数３７】
2011520334.tif 000041
【０１１０】
、
【０１１１】
【数３８】
2011520334.tif 000042
【０１１２】
は制御チャネルリソースインデックスが
【０１１３】
【数３９】
2011520334.tif 000043
【０１１４】
であるる制御チャネルを表示し、物理アップリンク制御チャネルの二つのタイムスロットにおいて、制御チャネルの数量と排列順も固定的なもので、関連標準の規定を参照することができる。
【０１１５】
【数４０】
2011520334.tif 000044
【０１１６】
と
【０１１７】
【数４１】
2011520334.tif 000045
【０１１８】
はそれぞれ第i個目ACK/NACKチャネルが使用するOCインデックスとCSインデックスを表示し、
【０１１９】
【数４２】
2011520334.tif 000046
【０１２０】
は一つのサブフレームにおける二つのタイムスロットを表示する。
【０１２１】
【数４３】
2011520334.tif 000047
【０１２２】
と
【０１２３】
【数４４】
2011520334.tif 000048
【０１２４】
との対応関係は具体的に図4~8及び図11~15のように示される。
【０１２５】
一つのサブフレームにおける二番目のタイムスロットのUEが使用する制御チャネルを再配列して、以下三つのリマップ状況を含む：
第一種の状況：物理アップリンク制御チャネルのリソースブロックにおいてACK/NACKを伝送するUEのみを多重化する；
端末が肯定/否定応答情報を伝送に利用される制御チャネルは一番目のタイムスロットと二番目のタイムスロットにそれぞれN個あり且つ排列が同じであり、たとえ、
【０１２６】
【数４５】
2011520334.tif 000049
【０１２７】
が一番目のタイムスロットにおいて
【０１２８】
【数４６】
2011520334.tif 000050
【０１２９】
制御チャネルを選んたとすれば、それが二番目のタイムスロットにおいて
【０１３０】
【数４７】
2011520334.tif 000051
【０１３１】
制御チャネルを選ぶことになり、
【０１３２】
【数４８】
2011520334.tif 000052
【０１３３】
、ただし
【０１３４】
【数４９】
2011520334.tif 000053
【０１３５】
Nの値は
【０１３６】
【数５０】
2011520334.tif 000054
【０１３７】
で、ただし、
【０１３８】
【数５１】
2011520334.tif 000055
【０１３９】
は一つのリソースブロックに占有されるサブキャリアの個数、又はCAZACシーケンスの循環シフト量の数目であり、システムは12と設定され；
【０１４０】
【数５２】
2011520334.tif 000056
【０１４１】
は同じタイムドメイン直交コードにおける循環シフト量の間隔であり、取られる値は1、2、3を含み；cはタイムドメイン直交コードの数量であって、制御チャネルの使用のサイクリックプリフィックスの類型と関係があり：制御チャネルが通常サイクリックプリフィックスを使うとき、cの値が3を取り；制御チャネルが拡張サイクリックプリフィックスを使うとき、cの値が2を取る；
【０１４２】
【数５３】
2011520334.tif 000057
【０１４３】
はN+1とお互いに素な自然数であり、d値はcを取ることが好ましい。modはモジュロ演算を指す。
【０１４４】
第二種状況：物理アップリンク制御チャネルのリソースブロックにおいてCQIを伝送するUEのみを多重化する；
CQI制御チャネルは使用するCAZACシーケンスの循環シフト量で表示できる；端末がCQIを伝送する制御チャネルは一番目のタイムスロットと二番目のタイムスロットにそれぞれN個あり且つ配列順が同じであり、たとえ、
【０１４５】
【数５４】
2011520334.tif 000058
【０１４６】
が一番目のタイムスロットにおいて
【０１４７】
【数５５】
2011520334.tif 000059
【０１４８】
のCQI制御チャネルを選んたとすれば、それが二番目のタイムスロットにおいて
【０１４９】
【数５６】
2011520334.tif 000060
【０１５０】
のCQI制御チャネルを選ぶことになり、
【０１５１】
【数５７】
2011520334.tif 000061
【０１５２】
、ただし、
【０１５３】
【数５８】
2011520334.tif 000062
【０１５４】
その中、NはCAZACシーケンスの循環シフト量の個数で、
即ち
【０１５５】
【数５９】
2011520334.tif 000063
【０１５６】
、c’はN+1とお互いに素な自然数であり、
c’値は
【０１５７】
【数６０】
2011520334.tif 000064
【０１５８】
が好ましい。modはモジュロ演算を指す。
【０１５９】
第三種状況：物理アップリンク制御チャネルのリソースブロックにおいてACK/NACKを伝送するUE（ACK_UEで表示）と CQIを伝送するUE（CQI_UEで表示）を同時に多重化する；
たとえ、ACK/NACKを伝送する循環シフト量の数目は
【０１６０】
【数６１】
2011520334.tif 000065
【０１６１】
であり、ACK/NACKチャネルとCQIチャネル間の相互干渉を考慮し、一般では二つのCQIチャネル循環シフト量保護間隔を保留し、したがって、CQIを伝送に利用される循環シフト量の数目は
【０１６２】
【数６２】
2011520334.tif 000066
【０１６３】
であり、
【０１６４】
【数６３】
2011520334.tif 000067
【０１６５】
は一つのリソースブロックに占有されるサブキャリアの数であり、システムは12と設定される。
【０１６６】
混合リソースブロックにおいて、ACK/NACKチャネルとCQIチャネルが二番目のタイムスロットにおいて使用する制御チャネルに対して再配列するとき、別々に検討できる。混合リソースブロックのACK/NACKチャネルが二番目のタイムスロットにおいて使用する制御チャネルの再配列にとって、ACK/NACKのみを伝送するリソースブロックの再配列と同じ方式を採用することができ、具体的には：
【０１６７】
【数６４】
2011520334.tif 000068
【０１６８】
が一番目のタイムスロットにおいて
【０１６９】
【数６５】
2011520334.tif 000069
【０１７０】
制御チャネルを選んでそれのACK/NACKを伝送するなら、それが二番目のタイムスロットにおいて
【０１７１】
【数６６】
2011520334.tif 000070
【０１７２】
制御チャネルを選んでACK/NACKを伝送することになり、
【０１７３】
【数６７】
2011520334.tif 000071
【０１７４】
、
【０１７５】
【数６８】
2011520334.tif 000072
【０１７６】
Nは混合リソースブロックにACK/NACKを伝送に利用されるチャネルの数目であり、
【０１７７】
【数６９】
2011520334.tif 000073
【０１７８】
、
【０１７９】
【数７０】
2011520334.tif 000074
【０１８０】
は同じタイムドメイン直交コードにおいて循環シフト量の間隔であり、取られる値は1、2、3を含み、と同時に、
【０１８１】
【数７１】
2011520334.tif 000075
【０１８２】
は
【０１８３】
【数７２】
2011520334.tif 000076
【０１８４】
の整数倍と要求され；cはタイムドメイン直交コードの数量であり、制御チャネルが使用するサイクリックプリフィックスの類型と関係あり：制御チャネルが通常サイクリックプリフィックスを使うとき、cの値が3を取る；制御チャネルが拡張サイクリックプリフィックスを使うとき、cの値が2を取る；
【０１８５】
【数７３】
2011520334.tif 000077
【０１８６】
はN+1とお互いに素な自然数であり、dはcを取ることが好ましい。
【０１８７】
混合リソースブロックのCQIチャネルが二番目のタイムスロットにおいて使用する制御チャネルの再配列にとって、CQIのみを伝送するリソースブロックなかの再配列と同じ方式を採用することができ、具体的には：
【０１８８】
【数７４】
2011520334.tif 000078
【０１８９】
が一番目のタイムスロットにおいて
【０１９０】
【数７５】
2011520334.tif 000079
【０１９１】
というCQI制御チャネルを選んだとすれば、二番目のタイムスロットにおいて
【０１９２】
【数７６】
2011520334.tif 000080
【０１９３】
制御チャネルを選ぶことになり、
【０１９４】
【数７７】
2011520334.tif 000081
【０１９５】
、
ただし、
【０１９６】
【数７８】
2011520334.tif 000082
【０１９７】
c’は
【０１９８】
【数７９】
2011520334.tif 000083
【０１９９】
とお互いに素な自然数であり、modはモジュロ演算を指す。
【０２００】
以下、図面と実施例を参照して、本発明が採用する技術方案を詳しく説明する。
【実施例１】
【０２０１】
実施例1において、図4の示すように、一つのリソースブロックにACK/NACKを伝送するUEのみを多重化し、物理アップリンク制御チャネルにおいて通常サイクリックプリフィックスを使って、使える直交コードの数量cは3、同じ直交コードに許せる循環シフト間隔
【０２０２】
【数８０】
2011520334.tif 000084
【０２０３】
は1であれば、一つのリソースブロックにおいて同時にACK/NACKを伝送する多重化できるUEの個数は
【０２０４】
【数８１】
2011520334.tif 000085
【０２０５】
、
【０２０６】
【数８２】
2011520334.tif 000086
【０２０７】
が一番目のタイムスロットにおいて
【０２０８】
【数８３】
2011520334.tif 000087
【０２０９】
制御チャネルを選ぶなら、それが二番目のタイムスロットにおいて
【０２１０】
【数８４】
2011520334.tif 000088
【０２１１】
制御チャネルを選ぶことになり、
【０２１２】
【数８５】
2011520334.tif 000089
【０２１３】
、
例えば、UE<1>が一番目のタイムスロットにおいて
【０２１４】
【数８６】
2011520334.tif 000090
【０２１５】
のACK/NACK制御チャネルを使ってそのACK/NACK情報を伝送したとすれば：
【０２１６】
【数８７】
2011520334.tif 000091
【０２１７】
したがって、UE<1>が二番目のタイムスロットにおいて
【０２１８】
【数８８】
2011520334.tif 000092
【０２１９】
のACK/NACK制御チャネルを使ってそのACK/NACK情報を伝送することになる。
【０２２０】
更にたとえ、UE<2>が一番目のタイムスロットにおいて
【０２２１】
【数８９】
2011520334.tif 000093
【０２２２】
のACK/NACK制御チャネルを使ってそれのACK/NACK情報を伝送したとすれば：
【０２２３】
【数９０】
2011520334.tif 000094
【０２２４】
したがって、UE<2>が二番目のタイムスロットにおいて
【０２２５】
【数９１】
2011520334.tif 000095
【０２２６】
のACK/NACK制御チャネルを使ってそのACK/NACK情報を伝送する。
【０２２７】
図の示すように、UE<0>~UE<5>におけるUEが一番目のタイムスロットにおいて同じタイムドメイン直交コードを使い、本発明の再配列方法を採用してから、UE<0>~UE<3>とUE<4>~UE<5>が二番目のタイムスロットにおいて違うタイムドメイン直交コードを使い、その中の複数のUE（たとえUE<0>~UE<3>）が使用するタイムドメイン直交コードは同じである場合、相応するCAZACシーケンスの循環シフト間隔が均等に配布し、それに二つのタイムスロットにおいて互いに異なる。見てわかるように、再配列してから、任意二つの端末が当該物理アップリンク制御チャネルの一番目のタイムスロットにおいて使用する制御チャネルリソースのインデックスの差は当該二つの端末が当該物理アップリンク制御チャネルの二番目のタイムスロットにおいて使用する制御チャネルリソースのインデックスの差と異なる。本実施例に、この差の絶対値も異なり、したがって、干渉をランダム化することができ、二つのUEは一番目のタイムスロットにおいて相互干渉が大きいとき、二番目のタイムスロットにおいて相互干渉が小さいことが保証られ、リソースブロック全体において多重化するUEのアップリンク制御チャネルの受信機能がほぼ同じ、特によいところも特に悪いところもない効果を実現できる。
【実施例２】
【０２２８】
実施例2に、図5の示すように、一つのリソースブロックにおいてACK/NACKを伝送するUEのみを多重化し、物理アップリンク制御チャネルは通常サイクリックプリフィックスを使い、使える直交コードの数量cは3；同じ直交コードにおいて許せる循環シフト間隔は
【０２２９】
【数９２】
2011520334.tif 000096
【０２３０】
だとすれば、一つのリソースブロックにおいて同時にACK/NACKを伝送する多重化できるUEの数は
【０２３１】
【数９３】
2011520334.tif 000097
【０２３２】
。
【０２３３】
【数９４】
2011520334.tif 000098
【０２３４】
が一番目のタイムスロットにおいて
【０２３５】
【数９５】
2011520334.tif 000099
【０２３６】
制御チャネルを選んだとしたら、それが二番目のタイムスロットにおいて
【０２３７】
【数９６】
2011520334.tif 000100
【０２３８】
制御チャネルを選ぶことになり、
【０２３９】
【数９７】
2011520334.tif 000101
【０２４０】
、
例えば、UE<1>が二番目のタイムスロットにおいて
【０２４１】
【数９８】
2011520334.tif 000102
【０２４２】
のACK/NACK制御チャネルを使ってそのACK/NACK情報を伝送し、UE<2>が二番目のタイムスロットにおいて
【０２４３】
【数９９】
2011520334.tif 000103
【０２４４】
のACK/NACK制御チャネルを使ってそのACK/NACK情報を伝送する。
【実施例３】
【０２４５】
実施例3において、図6の示すように、一つのリソースブロックにACK/NACKを伝送するUEのみを多重化し、物理アップリンク制御チャネルにおいて通常サイクリックプリフィックスを使い、使える直交コードの数量cは3、同じ直交コードに許せる循環シフト間隔は
【０２４６】
【数１００】
2011520334.tif 000104
【０２４７】
、一つのリソースブロックにおいて同時にACK/NACKを伝送する多重化できるUEの個数は
【０２４８】
【数１０１】
2011520334.tif 000105
【０２４９】
、
【０２５０】
【数１０２】
2011520334.tif 000106
【０２５１】
が一番目のタイムスロットにおいて
【０２５２】
【数１０３】
2011520334.tif 000107
【０２５３】
制御チャネルを選んだとすれば、それが二番目のタイムスロットにおいて
【０２５４】
【数１０４】
2011520334.tif 000108
【０２５５】
制御チャネルを選ぶことになり、
【０２５６】
【数１０５】
2011520334.tif 000109
【０２５７】
、
例えば、UE<1>が二番目のタイムスロットにおいて
【０２５８】
【数１０６】
2011520334.tif 000110
【０２５９】
のACK/NACK制御チャネルを使ってそのACK/NACK情報を伝送し、UE<2>が二番目のタイムスロットにおいて
【０２６０】
【数１０７】
2011520334.tif 000111
【０２６１】
の ACK/NACK制御チャネルを使ってそのACK/NACK情報を伝送する。
【実施例４】
【０２６２】
実施例4において、図7の示すように、一つのリソースブロックにおいてACK/NACKを伝送するUEのみを多重化し、物理アップリンク制御チャネルは拡張サイクリックプリフィックスを使い、使える直交コードの数量cは2；同じ直交コードにおいて許せる循環シフト間隔は
【０２６３】
【数１０８】
2011520334.tif 000112
【０２６４】
だとすれば、一つのリソースブロックに同時にACK/NACKを伝送する多重化できるUEの個数は
【０２６５】
【数１０９】
2011520334.tif 000113
【０２６６】
。
【０２６７】
【数１１０】
2011520334.tif 000114
【０２６８】
が一番目のタイムスロットにおいて
【０２６９】
【数１１１】
2011520334.tif 000115
【０２７０】
制御チャネルを選んだとすれば、それが二番目のタイムスロットにおいて
【０２７１】
【数１１２】
2011520334.tif 000116
【０２７２】
制御チャネルを選ぶことになり、
【０２７３】
【数１１３】
2011520334.tif 000117
【０２７４】
、
例えば、UE<1>が二番目のタイムスロットにおいて
【０２７５】
【数１１４】
2011520334.tif 000118
【０２７６】
のACK/NACK制御チャネルを使ってそのACK/NACK情報を伝送し、UE<2>が二番目のタイムスロットにおいて
【０２７７】
【数１１５】
2011520334.tif 000119
【０２７８】
のACK/NACK制御チャネルを使ってそのACK/NACK情報を伝送する。
【実施例５】
【０２７９】
実施例5に、図8の示すように、一つのリソースブロックにおいてACK/NACKを伝送するUEのみを多重化し、物理アップリンク制御チャネルは通常サイクリックプリフィックスを使い、使える直交コードの数量cは2；同じ直交コードに許せる循環シフト間隔は
【０２８０】
【数１１６】
2011520334.tif 000120
【０２８１】
であれば、一つのリソースブロックにおいて同時にACK/NACKを伝送する多重化できるUEの個数は
【０２８２】
【数１１７】
2011520334.tif 000121
【０２８３】
【数１１８】
2011520334.tif 000122
【０２８４】
が一番目のタイムスロットに
【０２８５】
【数１１９】
2011520334.tif 000123
【０２８６】
制御チャネルを選んだとすれば、それが二番目のタイムスロットに
【０２８７】
【数１２０】
2011520334.tif 000124
【０２８８】
制御チャネルを選ぶことになり、
【０２８９】
【数１２１】
2011520334.tif 000125
【０２９０】
、
例えば、UE<1>が二番目のタイムスロットにおいて
【０２９１】
【数１２２】
2011520334.tif 000126
【０２９２】
のACK/NACK制御チャネルを使ってそのACK/NACK情報を伝送し、UE<2>が二番目のタイムスロットにおいて
【０２９３】
【数１２３】
2011520334.tif 000127
【０２９４】
のACK/NACK制御チャネルを使ってそのACK/NACK情報を伝送する。
【実施例６】
【０２９５】
実施例6に、図9の示すように、一つのリソースブロックにおいてCQIを伝送するUEのみを多重化し、CQI制御チャネルが使えるCAZACシーケンスの循環シフト量の個数はN=12；c’はN+1と、即ち13とお互いに素な自然数であり；図に示すのはc’=3の場合、
【０２９６】
【数１２４】
2011520334.tif 000128
【０２９７】
が一番目のタイムスロットにおいて
【０２９８】
【数１２５】
2011520334.tif 000129
【０２９９】
制御チャネルを選んだとすれば、それが二番目のタイムスロットにおいて
【０３００】
【数１２６】
2011520334.tif 000130
【０３０１】
制御チャネルを選び、
【０３０２】
【数１２７】
2011520334.tif 000131
【実施例７】
【０３０３】
実施例7に、図10の示すように、一つのリソースブロックにおいてCQIを伝送するUEのみを多重化し、CQI制御チャネルが使えるCAZACシーケンスの循環シフト量の個数はN=12；c’はN+1と、即ち13とお互いに素な自然数であり；図に示すのはc’=12の場合、
【０３０４】
【数１２８】
2011520334.tif 000132
【０３０５】
が一番目のタイムスロットにおいて
【０３０６】
【数１２９】
2011520334.tif 000133
【０３０７】
制御チャネルを選んだとすれば、それが二番目のタイムスロットにおいて
【０３０８】
【数１３０】
2011520334.tif 000134
【０３０９】
制御チャネルを選ぶことになり、
【０３１０】
【数１３１】
2011520334.tif 000135
【０３１１】
図の示すように、UEが一番目のタイムスロットに使用するCSと二番目のタイムスロットに使用するCSがマッピング効果あり、簡単に実現できる。
【実施例８】
【０３１２】
実施例8に、図11の示すように、一つのリソースブロックにおいてACK/NACKを伝送するUEとCQIを伝送するUEとを同時に多重化し、物理アップリンク制御チャネルが通常サイクリックプリフィックスを使う時、使える直交コードの数量cは3、ACK/NACKを伝送するUEに分配する循環シフト量の数目は
【０３１３】
【数１３２】
2011520334.tif 000136
【０３１４】
、同じ直交コードに許せる循環シフト間隔は
【０３１５】
【数１３３】
2011520334.tif 000137
【０３１６】
とすれば、一つのリソースブロックにおいて同時にACK/NACKを伝送する多重化できるUEの個数は
【０３１７】
【数１３４】
2011520334.tif 000138
【０３１８】
、
【０３１９】
【数１３５】
2011520334.tif 000139
【０３２０】
が一番目のタイムスロットにおいてACK/NACKを伝送する制御チャネルとして
【０３２１】
【数１３６】
2011520334.tif 000140
【０３２２】
選んだとすれば、それが二番目のタイムスロットにおいてACK/NACKを伝送する制御チャネルとして
【０３２３】
【数１３７】
2011520334.tif 000141
【０３２４】
を選ぶことになり、
【０３２５】
【数１３８】
2011520334.tif 000142
【０３２６】
CQIを伝送するUEにとって、それが使える循環シフト量の数目は
【０３２７】
【数１３９】
2011520334.tif 000143
【０３２８】
、したがって、UE<j>が一番目のタイムスロットにおいてをCQIを伝送する制御チャネルとして
【０３２９】
【数１４０】
2011520334.tif 000144
【０３３０】
選んだとすれば、それが二番目のタイムスロットにおいてCQIを伝送する制御チャネルとして
【０３３１】
【数１４１】
2011520334.tif 000145
【０３３２】
選ぶことになり、図に示すのはc’=4の場合、
【０３３３】
【数１４２】
2011520334.tif 000146
【実施例９】
【０３３４】
実施例9に、図12の示すように、一つのリソースブロックにおいてACK/NACKを伝送するUEとCQIを伝送するUEとを同時に多重化し、物理アップリンク制御チャネルが通常サイクリックプリフィックスを使う時、使える直交コードの数量cは3、ACK/NACKを伝送するUEに分配する循環シフト量の数目は
【０３３５】
【数１４３】
2011520334.tif 000147
【０３３６】
、同じ直交コードに許せる循環シフト間隔は
【０３３７】
【数１４４】
2011520334.tif 000148
【０３３８】
であれば、一つのリソースブロックにおいて同時にACK/NACKを伝送する多重化できるUEの個数は
【０３３９】
【数１４５】
2011520334.tif 000149
【０３４０】
、
【０３４１】
【数１４６】
2011520334.tif 000150
【０３４２】
が一番目のタイムスロットにおいてACK/NACKを伝送する制御チャネルとして
【０３４３】
【数１４７】
2011520334.tif 000151
【０３４４】
を選んだとすれば、それが二番目のタイムスロットにおいてACK/NACKを伝送する制御チャネルとして
【０３４５】
【数１４８】
2011520334.tif 000152
【０３４６】
を選ぶことになり、
【０３４７】
【数１４９】
2011520334.tif 000153
【０３４８】
CQIを伝送するUEにとって、それが使える循環シフト量の数目は
【０３４９】
【数１５０】
2011520334.tif 000154
【０３５０】
、したがって、UE<j>が一番目のタイムスロットにおいて CQIを伝送する制御チャネルとして
【０３５１】
【数１５１】
2011520334.tif 000155
【０３５２】
を選んだとすれば、それが二番目のタイムスロットにおいてCQIを伝送する制御チャネルとして
【０３５３】
【数１５２】
2011520334.tif 000156
【０３５４】
を選ぶことになり、図に示すのはc’=4の場合、
【０３５５】
【数１５３】
2011520334.tif 000157
【実施例１０】
【０３５６】
実施例10に、図13の示すように、一つのリソースブロックにおいてACK/NACKを伝送するUEとCQIを伝送するUEとを同時に多重化し、物理アップリンク制御チャネルが通常サイクリックプリフィックスを使う時、使える直交コードの数量cは3、ACK/NACKを伝送するUEに分配する循環シフト量の数目は
【０３５７】
【数１５４】
2011520334.tif 000158
【０３５８】
、同じ直交符号に許せる循環シフト間隔は
【０３５９】
【数１５５】
2011520334.tif 000159
【０３６０】
であれば、一つのリソースブロックにおいて同時にACK/NACKを伝送する多重化できるUEの個数は
【０３６１】
【数１５６】
2011520334.tif 000160
【０３６２】
、UE<i>が一番目のタイムスロットにおいて ACK/NACKを伝送する制御チャネルとして
【０３６３】
【数１５７】
2011520334.tif 000161
【０３６４】
を選んだとすれば、それが二番目のタイムスロットにおいて ACK/NACKを伝送する制御チャネルとして
【０３６５】
【数１５８】
2011520334.tif 000162
【０３６６】
を選ぶことになり、
【０３６７】
【数１５９】
2011520334.tif 000163
【０３６８】
CQIを伝送するUEにとって、それが使える循環シフト量の数目は
【０３６９】
【数１６０】
2011520334.tif 000164
【０３７０】
、したがって、UE<j>が一番目のタイムスロットにおいて CQIを伝送する制御チャネルとして
【０３７１】
【数１６１】
2011520334.tif 000165
【０３７２】
を選んだとすれば、それが二番目のタイムスロットにおいて CQIを伝送する制御チャネルとして
【０３７３】
【数１６２】
2011520334.tif 000166
【０３７４】
を選ぶことになり、図に示すのはc’=4の場合、
【０３７５】
【数１６３】
2011520334.tif 000167
【実施例１１】
【０３７６】
実施例11に、図14の示すように、一つのリソースブロックにおいてACK/NACKを伝送するUEとCQIを伝送するUEとを同時に多重化し、物理アップリンク制御チャネルが拡張サイクリックプリフィックスを使う時、使える直交コードの数量cは2、ACK/NACKを伝送するUEに分配する循環シフト量の数目は
【０３７７】
【数１６４】
2011520334.tif 000168
【０３７８】
、同じ直交コードに許せる循環シフト間隔は
【０３７９】
【数１６５】
2011520334.tif 000169
【０３８０】
であれば、一つのリソースブロックにおいて同時にACK/NACKを伝送する多重化できるUEの個数は
【０３８１】
【数１６６】
2011520334.tif 000170
【０３８２】
、
【０３８３】
【数１６７】
2011520334.tif 000171
【０３８４】
が一番目のタイムスロットにおいて ACK/NACKを伝送する制御チャネルとして
【０３８５】
【数１６８】
2011520334.tif 000172
【０３８６】
を選んだとすれば、それが二番目のタイムスロットにおいて ACK/NACKを伝送する制御チャネルとして
【０３８７】
【数１６９】
2011520334.tif 000173
【０３８８】
を選ぶことになり、
【０３８９】
【数１７０】
2011520334.tif 000174
【０３９０】
CQIを伝送するUEにとって、それが使える循環シフト量の数目は
【０３９１】
【数１７１】
2011520334.tif 000175
【０３９２】
、したがって、UE<j>が一番目のタイムスロットにおいて CQIを伝送する制御チャネルとして
【０３９３】
【数１７２】
2011520334.tif 000176
【０３９４】
を選んだとすれば、それが二番目のタイムスロットにおいて CQIを伝送する制御チャネルとして
【０３９５】
【数１７３】
2011520334.tif 000177
【０３９６】
を選ぶことになり、図に示すのはc’=4の場合、
【０３９７】
【数１７４】
2011520334.tif 000178
【実施例１２】
【０３９８】
実施例12に、図15の示すように、一つのリソースブロックにおいてACK/NACKを伝送するUEとCQIを伝送するUEとを同時に多重化し、物理アップリンク制御チャネルが拡張サイクリックプリフィックスを使う時、使える直交コードの数量cは2、ACK/NACKを伝送するUEに分配する循環シフト量の数目は
【０３９９】
【数１７５】
2011520334.tif 000179
【０４００】
、同じ直交コードに許せる循環シフト間隔は
【０４０１】
【数１７６】
2011520334.tif 000180
【０４０２】
であれば、一つのリソースブロックにおいて同時にACK/NACKを伝送する多重化できるUEの個数は
【０４０３】
【数１７７】
2011520334.tif 000181
【０４０４】
、
【０４０５】
【数１７８】
2011520334.tif 000182
【０４０６】
が一番目のタイムスロットにおいて ACK/NACKを伝送する制御チャネルとして
【０４０７】
【数１７９】
2011520334.tif 000183
【０４０８】
を選んだとすれば、それが二番目のタイムスロットにおいてACK/NACKを伝送する制御チャネルとして
【０４０９】
【数１８０】
2011520334.tif 000184
【０４１０】
を選ぶことになり、
【０４１１】
【数１８１】
2011520334.tif 000185
【０４１２】
CQIを伝送するUEにとって、それが使える循環シフト量の数目は
【０４１３】
【数１８２】
2011520334.tif 000186
【０４１４】
、したがって、UE<j>が一番目のタイムスロットにおいて CQIを伝送する制御チャネルとして
【０４１５】
【数１８３】
2011520334.tif 000187
【０４１６】
を選んだとすれば、それが二番目のタイムスロットにおいてCQIを伝送する制御チャネルとして
【０４１７】
【数１８４】
2011520334.tif 000188
【０４１８】
を選ぶことになり、図に示すのはc’=4の場合、
【０４１９】
【数１８５】
2011520334.tif 000189
【０４２０】
上記から、三つの状況の再配列に対して、基本方法はすべて同じで、すべてがプライムモジュロ方式（Prime-Modulo Method）を採用したので、形式が一致で、簡単に実現できるメリットが有することがわかる。
【０４２１】
本分野を熟知する技術者にとって、以上述べたのはただ本発明のよい実施例であり、本発明の実施範囲を限定するものではないと容易に理解できる。本発明に基づく同等の修正や変形は、すべて本発明の請求範囲に含まれる。
【産業上の利用可能性】
【０４２２】
本発明の方法を使って、一つのリソースブロック又は混合リソースブロック内において多重化されるUEが制御チャネル持続期間に、受ける相互干渉の均等化とランダム化を保証られ、セル内に各UEの物理アップリンク制御チャネルの干渉のランダム化を実現し、したがって、物理アップリンク制御チャネルの受信機能を高める。
【図１】
2011520334.tif 000230
【図２】
2011520334.tif 000231
【図３】
2011520334.tif 000232
【図４】
2011520334.tif 000233
【図５】
2011520334.tif 000234
【図６】
2011520334.tif 000235
【図７】
2011520334.tif 000236
【図８】
2011520334.tif 000237
【図９】
2011520334.tif 000238
【図１０】
2011520334.tif 000239
【図１１】
2011520334.tif 000240
【図１２】
2011520334.tif 000241
【図１３】
2011520334.tif 000242
【図１４】
2011520334.tif 000243
【図１５】
2011520334.tif 000244
【国際調査報告】
2011520334.tif 000245
2011520334.tif 000246
2011520334.tif 000247
2011520334.tif 000248